(57)【要約】【課題】  この発明の目的は、使用者の鼻に確実に当接するとともに、鼻に応じて大きさや硬さを交換することができるノーズパッドを提供することである。【解決手段】  フレームに取り付けられる本体部と、本体部に被嵌するパッド部とから構成され、本体部に被嵌するパッド部は種々な大きさや硬さのものを用意して、パッド部を使用者に応じた最適な当接状態とすることができる。【選択図】        図３
2007248717.tif 000002
【特許請求の範囲】
【請求項１】
フレームに取り付けられる本体部と、本体部に被嵌するパッド部とから構成されていることを特徴とするノーズパッド。
【請求項２】
前記フレームは金属製であるとともに、この金属製のフレームに金属製の本体部が溶着によって取り付けられている請求項１記載のノーズパッド。
【請求項３】
前記フレームは金属製であるとともに、この金属製のフレームに金属製の本体部が、その下部を埋設された状態で溶着されて取り付けられている請求項１記載のノーズパッド。
【請求項４】
前記フレームは樹脂製であるとともに、この樹脂製のフレームに樹脂製の本体部が接着によって取り付けられている請求項１記載のノーズパッド。
【請求項５】
前記フレームは樹脂製であるとともに、この樹脂製のフレームに樹脂製の本体部が、その下部を埋設された状態で接着されて取り付けられている請求項１記載のノーズパッド。
【請求項６】
前記フレームは樹脂製であるとともに、この樹脂製フレームに金属製の本体部が接着されて取り付けられている請求項１記載のノーズパッド。
【請求項７】
前記フレームは樹脂製であるとともに、この樹脂製フレームに金属製の本体部が、その下部を埋設された状態で接着されて取り付けられている請求項１記載のノーズパッド。
【請求項８】
前記本体部に被嵌して取り付けられたパッド部は使用者の鼻に当接する請求項１記載のノーズパッド。
【請求項９】
前記本体部に被嵌して取り付けられたパッド部は透明状である請求項１、８項記載のノーズパッド。
【請求項１０】
前記本体部に被嵌して取り付けられたパッド部は種々な大きさのものが用いられる請求項１、８、９記載のノーズパッド。
【請求項１１】
前記本体部に被嵌して取り付けられたパッド部は種々な硬さのものが用いられる請求項１、８、９記載のノーズパッド。
【発明の詳細な説明】
【技術分野】
【０００１】
この発明は眼鏡用のノーズパッドに関し、特に、外側をソフトパッドで覆ったノーズパッドに関するものである。
【背景技術】
【０００２】
一般に、眼鏡のノーズパッドはフレームに取り付けられる基部と、この基部の先端に取り付けられるパッドとから構成されている。そして、金属製のフレームには金属製の基部がロー付け（溶着）で取り付けられるとともに、先端部に金属製あるいは樹脂製のパッドが設けてあり、また、樹脂製のフレームには樹脂製の基部が埋設あるいは貼着されるとともに、その先端部に樹脂製のパッドが取り付けられている。このように基部の先端部に取り付けられたパッドがそれぞれ使用者の鼻の両側から押圧することでフレームを一定の状態に保持するようになっている（例えば、特許文献１参照。）。
【特許文献１】特開平１０−２８２４５７号公報
【発明の開示】
【発明が解決しようとする課題】
【０００３】
しかしながら、上記のような一般的なノーズパッドにあっては、基部はフレームに直接にロー付けやあるいは埋設した後にロー付けすることで取り付けられていて、基部の先端部にパッドが設けられているが、このパッドはカシメて取り付けたり、あるいは非常に小さいネジを使用して取り付けたりしているので、交換するのは細かい作業であり、非常に煩雑な作業になるという問題点を有していた。
【０００４】
しかも、基部の先端部に取り付けられるパッドは、管理上の都合があるのでそれ専用のものを使用するようになっていて、固さや大きさも所定のものとなっている。したがって、使用者によってはもう少し柔らかい、あるいは硬いものを使用したい時や、もう少し大きい、あるいは小さいものを使用したい場合であっても、その要望には対応することができないものであった。
【０００５】
この発明の目的は、ノーズパッドを基部である本体部と、この本体部を被嵌するとともに使用者の鼻に当接するパッドであるパッド部とから構成し、しかもパッド部を種々な大きさのものや、種々な硬さのものを使用可能として使用者に対して最適な状態にすることができるノーズパッドを提供することを目的とする。
【課題を解決するための手段】
【０００６】
上記の問題点を解決するためにこの発明は、フレームに取り付けられる本体部と、本体部に被嵌するパッド部とから構成されている手段を採用した。
【０００７】
この場合、前記フレームは金属製であるとともに、この金属製のフレームに金属製の本体部を溶着によって取り付けたり、その下部を埋設した状態で溶着して取り付ける手段を採用したり、あるいは前記フレームは樹脂製であるとともに、この樹脂製のフレームに樹脂製または金属製の本体部を接着によって取り付けたり、その下部を埋設した状態で接着させて取り付ける等の手段を採用した。
【０００８】
また、前記本体部に被嵌して取り付けられたパッド部は透明状であり、使用者の鼻に当接するとともに、種々な大きさのものや種々な硬さのものが用いられる手段を採用した。
【発明の効果】
【０００９】
この発明は前記のように、フレームに取り付けられる本体部と、本体部に被嵌するパッド部とから構成したことにより、本体部に対して大きさや硬さが異なる種々のパッド部を被嵌することができるので、使用者の鼻に当接するパッド部は使用者の望み通りの大きさや硬さのものを採用できて使用者に対して最適な状態とすることができる。そして、使用者の鼻に当接するパッド部が汚れたり、痛んだ場合にはパッド部だけを新しいものに交換することができ、常に、最適かつ、最良な状態に保持することができる。
しかも、パッド部を透明状にすることで内部の本体部を外方から見ることができて本体部が装飾体としての機能を発揮することができる。
そして、金属製あるいは樹脂製のフレームに用いることができるのでどのようなフレームに対しても使用可能であり、金属製のフレームを使用した場合には本体部の下部を埋設可能としたので取り付けが強固であり離脱する恐れが無く、また、埋設しないように構成した場合でも大きな溶着面積を確保できるので取り付けが強固であり離脱の恐れが無い。また、樹脂製のフレームを使用した場合には樹脂製あるいは金属製の本体部の下部を接着したり、あるいは埋設して接着したので取り付けが強固であり、また、埋設しないように構成した場合でも大きな接着面積を確保できるので離脱する恐れを無くすことができるという効果を有している。
【発明を実施するための最良の形態】
【００１０】
以下、この発明の実施の形態について説明する。図１〜図６はこの発明によるノーズパッドの第１の実施の形態を示し、図１は使用者の鼻に当接するパッド部を示す概略正面図、図２は本体部を示す概略正面図、図３は本体部にパッド部を被嵌した状態を示す概略正面図、図４は図３の下方から見た状態で９０°回転させた状態を示す概略図、図５は図３の側方から見た状態で９０°回転させた状態を示す概略図、図６は本体部を眼鏡のフレームに取り付けた状態を示す概略図であって、本体部の下部が埋設されて溶着された状態を示す概略図である。
【００１１】
図１において、パッド部２は下面が開口する凹部３が設けられるとともに、上面および側面が種々な曲率で湾曲しており、使用者の鼻との当接部位に大きな加重が作用しないようになっているとともに、柔軟に変形するソフト樹脂を使用して成形されている。そして、このようなパッド部２の下面に開口する凹部３には図２に示す本体部４の上部が嵌め込まれるようになっている。すなわち、本体部４はその基部６の下面に埋設部７が設けられるとともに、上部はパッド部２の凹部３内に位置して、パッド部２が被嵌するようになっている突入部５となっている。
この場合、パッド部２として透明材を使用する場合には突入部５は種々な形態、すなわち装飾を施すことで外部からその装飾を認識することができるものであり、これによりノーズパッド１が完成する。
【００１２】
前記本体部はそれ自体が樹脂製あるいは金属製であるとともに、図６に示すように金属製あるいは樹脂製のフレーム８に取り付けられるものであり、図２に示す本体部４にあっては、フレーム８に本体部４の下部の埋設部７が挿入可能な凹部を形成するとともに、この凹部内に下部の埋設部７を位置した後に本体部とフレーム８とを溶着（接着）して固定するようになっている。
【００１３】
すなわち、本体部４の上部にパッド部２を被嵌すると、本体部４とパッド部２とは図３〜図５に示すように組み合わされるものである。
【００１４】
図７〜図１１はこの発明によるノーズパッドの第２の実施の形態を示し、図７は使用者の鼻に当接するパッド部１２を示す概略正面図、図８は本体部１４を示す概略正面図、図９は本体部１４にパッド部１２を被嵌した状態を示す概略正面図、図１０は図９の下方から見た状態で９０°回転させた状態を示す概略図、図１１は図９の側方から見た状態で９０°回転させた状態を示す概略図である。
【００１５】
この第２の実施の形態は前記第１の実施の形態と略同様であり、図７において、パッド部１２は下面が開口する凹部１３が設けられるとともに、上面および側面が種々な曲率で湾曲しており、使用者の鼻との当接部位に大きな加重が作用しないようになっているとともに、柔軟に変形するソフト樹脂を使用して成形されている。
【００１６】
そして、このようなパッド部１２の下面に開口する凹部１３には図８に示す本体部１４の上部が嵌め込まれるようになっている。すなわち、本体部１４はその基部１６の上面に上部が設けられており、この上部はパッド部１２の凹部１３内に位置して、上面にパッド部１２が被嵌するようになっている突入部１５となっている。
この場合、パッド部１２として透明材を使用する場合には突入部１５は種々な形態の装飾を施すことで外部からその装飾を認識することができるものであり、これによりノーズパッド１１が完成する。
【００１７】
前記本体部１４は前記実施の形態と同様に金属製あるいは樹脂製のフレームに取り付けられるものであり、この場合は前記実施の形態と異なって基部１６の下面が平面になっているので下面が金属製あるいは樹脂製のフレームに当接した状態で金属製どうしの場合には溶着（接着）等で、また、樹脂製どうしの場合には接着（溶着）等で一体に固定されるようになっている。
【００１８】
したがって、本体部１４の上部にパッド部１２を被嵌すると、本体部１４とパッド部１２とは図９〜図１１に示すように組み合わされるものである。
【００１９】
そして、いずれの実施の形態に示すものにあっても樹脂製あるいは金属製の本体部４、１４に被嵌するパッド部２、１２は一種類ではなく、大きさや硬さの異なるものを用意しておくことにより使用者にとって最適なパッド部２、１２を選定することができるものである。
【００２０】
なお、前記各実施の形態においては、パッド部としてソフト樹脂を用いたが、種々の樹脂を用いることができるものである。
【図面の簡単な説明】
【００２１】
【図１】使用者の鼻に当接するパッド部を示す概略正面図である。
【図２】本体部を示す概略正面図である。
【図３】本体部にパッド部を被嵌した状態を示す概略正面図である。
【図４】図３の下方から見た状態で９０°回転させた状態を示す概略図である。
【図５】図３の側方から見た状態で９０°回転させた状態を示す概略図である。
【図６】本体部を眼鏡のフレームに取り付けた状態を示す概略図であって、本体部の下部が埋設されて溶着された状態を示す概略図である。
【図７】使用者の鼻に当接するパッド部を示す概略正面図である。
【図８】本体部を示す概略正面図である。
【図９】本体部にパッド部を被嵌した状態を示す概略正面図である。
【図１０】図９の下方から見た状態で９０°回転させた状態を示す概略図である。
【図１１】図９の側方から見た状態で９０°回転させた状態を示す概略図である。
【符号の説明】
【００２２】
１、１１……ノーズパッド
２、１２……パッド部
３、１３……凹部
４、１４……本体部
５、１５……突入部
６、１６……基部
７……埋設部
８……フレーム
【図１】
2007248717.tif 000003
【図２】
2007248717.tif 000004
【図３】
2007248717.tif 000005
【図４】
2007248717.tif 000006
【図５】
2007248717.tif 000007
【図６】
2007248717.tif 000008
【図７】
2007248717.tif 000009
【図８】
2007248717.tif 000010
【図９】
2007248717.tif 000011
【図１０】
2007248717.tif 000012
【図１１】
2007248717.tif 000013